(57)【要約】【課題】スプリンクラヘッドが暴発等により開放した場合でも、このスプリンクラヘッドから流出する水の量を大幅に減らすことのできる湿式のスプリンクラ消火設備を提供する。【解決手段】二次側配管４にスプリンクラヘッド５を接続し、二次側配管４内に消火用水を充水したスプリンクラ消火設備において、吸引ポンプ１３によって真空吸引された負圧配管１０と、この負圧配管１０と二次側配管４を接続する常時は閉じられた開閉弁２５とを設けた。【選択図】        図１
2004201746.tif 000002
【特許請求の範囲】
【請求項１】
二次側配管にスプリンクラヘッドを接続し、該二次側配管内に消火用水を充水したスプリンクラ消火設備において、
吸引ポンプによって真空引きされた負圧配管と、該負圧配管と前記二次側配管を接続する常時は閉じられた開閉弁とを備えたことを特徴とするスプリンクラ消火設備。
【請求項２】
前記二次側配管内の圧力低下を検知する検知手段と、前記スプリンクラヘッドと同じ防護区域に設置された火災感知器と、該火災感知器が動作せず前記検知手段が動作したときのみ前記開閉弁を開放させる制御手段とを設けたことを特徴とする請求項１記載のスプリンクラ消火設備。
【請求項３】
前記検知手段を、前記開閉弁の二次側配管側に設けたアクセラレータ及び圧力スイッチによって構成したことを特徴とする請求項２記載のスプリンクラ消火設備。
【請求項４】
前記吸引ポンプは真空ポンプであり、該真空ポンプを真空タンクを介して前記負圧配管に接続したことを特徴とする請求項１〜３のいずれかに記載のスプリンクラ消火設備。
【発明の詳細な説明】
【０００１】
【発明の属する技術分野】
本発明は、スプリンクラ消火設備に係り、さらに詳しくは、二次側配管内に常時水が充水された湿式の予作動式スプリンクラ消火設備に関するものである。
【０００２】
【従来の技術】
この種のスプリンクラ消火設備に、開放弁の二次室側を一次室側より低圧で、かつ一次室側とは無関係に外部に流出する流体を二次室側に封入したものがある（例えば、特許文献１参照）。
【０００３】
【特許文献１】
特公平７−１２３８２号公報（第２〜第３頁、図１）
【０００４】
【発明が解決しようとする課題】
特許文献１に記載のスプリンクラ消火設備は、二次側に常時充水しているため、火災時にスプリンクラヘッドが開放すると直ちに放水できるという利点がある。しかし、いわゆる不時放水、つまり火災でもないのにかかわらず、外力等によってスプリンクラヘッドが暴発して開放してしまうと、その場合にも二次側に充水した水が流出してしまうため、水損を生じるという問題がある。
【０００５】
本発明は上記の課題を解決するためになされたもので、スプリンクラヘッドが暴発等により開放した場合でも、当該スプリンクラヘッドから流出する水の量を大幅に減らすことのできる湿式のスプリンクラ消火設備を提供することを目的とするものである。
【０００６】
【課題を解決するための手段】
（１）本発明は、二次側配管にスプリンクラヘッドを接続し、該二次側配管内に消火用水を充水したスプリンクラ消火設備において、吸引ポンプによって真空引きされた負圧配管と、該負圧配管と前記二次側配管を接続する常時は閉じられた開閉弁とを備えたものである。
【０００７】
（２）上記（１）の二次側配管内の圧力低下を検知する検知手段と、前記スプリンクラヘッドと同じ防護区域に設置された火災感知器と、該火災感知器が動作せず前記検知手段が動作したときのみ前記開閉弁を開放させる制御手段とを設けた。
【０００８】
（３）上記（２）の検知手段を、前記開閉弁の二次側配管側に設けたアクセラレータ及び圧力スイッチによって構成した。
【０００９】
（４）上記（１）〜（３）のいずれかの吸引ポンプは真空ポンプであり、該真空ポンプを真空タンクを介して前記負圧配管に接続した。
【００１０】
【発明の実施の形態】
図１は本発明の一実施の形態に係るスプリンクラ消火設備の配管系統図である。
図において、１は建物の上下方向に設置され、下部が送水ポンプ７を介して消火水槽８に接続された主配管で、各階ごとに分岐管２が設けられており、この分岐管２には流水検知機能を備え、後述の制御盤２０により開閉が制御される常時は閉じられた予作動弁３（以下、主開閉弁３という）の一次側が接続されている。この主開閉弁３は、火災信号と二次側配管の圧力低下とで開放する弁である。弁体開放時には流水現象を検知して、圧力低下信号を制御盤２０に送出する。
【００１１】
４は主開閉弁３の二次側に接続され、各防護区域に設置された二次側配管で、スプリンクラヘッド５が接続されている。６はスプリンクラヘッド５と同じ防護区域に設置された火災感知器である。なお、以下の説明では、主配管１及び分岐管２を合わせて一次側配管ということがある。
【００１２】
１０は建物の上下方向に設置された負圧配管で、下部は常時は開放された常開弁１２を介して真空タンク１１に接続されており、真空タンク１１は吸引ポンプである真空ポンプ１３に接続されている。１４は真空タンク１１と真空ポンプ１３との間に設けられた制御盤、１５は同じく圧力スイッチ、１６は常時は閉じられた排水弁である。
【００１３】
２０は制御手段である制御盤、２１は火災受信機、２２はポンプ制御盤である。２３は主開閉弁３の下流側において、二次側配管４と負圧配管１０を接続する接続管で、常時は閉じられた開閉弁２５が設けられており、この開閉弁２５及び主開閉弁３は制御盤２０からの信号により開放制御される。
【００１４】
２６は主開閉弁３の下流側において二次側配管４（又は接続管２３）に接続されたアクセラレータ（急速開放装置）、２７はアクセラレータ２６に接続され、二次側配管４内の圧力低下を検知する圧力スイッチで、その出力信号（圧力低下信号）は制御盤２０へ送られる。なお、アクセラレータ２６と圧力スイッチ２７とにより、圧力の検知手段を構成する。ここで、アクセラレータとは、常時圧力（本発明では、二次側配管内の圧力）を監視しており、温度変化などの緩慢な圧力変化には応動しないが、例えば、スプリンクラヘッドの開放時などのように、急激な圧力低下を生じた場合は、これを検知する装置である。
【００１５】
また、火災感知器６からの火災信号は火災受信機２１に送られ、火災受信機２１はこの火災信号を制御盤２０及びポンプ制御盤２２に送信する。なお、送水ポンプ７の駆動は、ポンプ制御盤２２からの信号によって制御される。
３０は建物の上下方向に設置された排水配管で、各主開閉弁３に接続されており、下部は下水道等に開口している。
【００１６】
次に、本発明の作用について説明する。
監視状態においては主開閉弁３は閉じられており、二次側配管４内には消火用水が充水されている。また、負圧配管１０内は真空ポンプ１３により真空引きされ、所定の負圧に維持されている。なお、負圧配管１０内の負圧状態は圧力スイッチ１５により常時監視されており、負圧状態が低下したときは制御盤１４の指令により真空ポンプ１３が駆動され、常時所定の負圧状態に維持される。
【００１７】
警戒区域に火災が発生すると、これを検知した火災感知器６が火災受信機２１に火災信号を送り、火災受信機２１はこれに基いて制御盤２０及びポンプ制御盤２２に火災信号を出力し、制御盤２０は主開閉弁３に制御信号を送り、これを開放制御する。
ついで、スプリンクラヘッド５が動作（開放）すると、二次側配管４内に充水された消火用水が放水される。消火用水が放水されると二次側配管４内の圧力が急激に低下するので、アクセラレータ２６の圧力スイッチ２７がこれを検知して制御盤２０に圧力低下信号を送る。また、二次側配管４内の圧力低下により主開閉弁３が開放し、主開閉弁３からも制御盤２０に圧力低下信号が送られる。ここで、図示しない圧力空気槽が配管内の圧力低下を検知して送水ポンプ７が駆動される。
【００１８】
送水ポンプ７によって送られた一次側配管の消火用水は二次側配管４へ送水され、スプリンクラヘッド５から放水して消火する。
なお、火災感知器６からの火災信号と、スプリンクラヘッド５の開放による検知手段からの圧力低下信号との両者が制御盤２０に入力したときに、はじめて主開放弁３を開放させ、一次側配管の消火用水を二次側配管４に送水するようにしてもよい。
【００１９】
外力等によりスプリンクラヘッド５が暴発すると、火災ではないのにそのスプリンクラヘッド５から二次側配管４内の消火用水が不時放水されるが、これによって生じる二次側配管４内の圧力低下を、アクセラレータ２６の圧力スイッチ２７がす早く検知して圧力低下信号を制御盤２０に送信する。制御盤２０は火災信号がなく圧力低下信号だけが送られた場合は、スプリンクラヘッド５の故障（暴発）と判断して開閉弁２５に信号を送り、これを開放する。
【００２０】
開閉弁２５が開放されると、二次側配管４内の消火用水は接続管２３を介して負圧配管１０に吸引され、吸引された消火用水は常開弁１２を介して真空タンク１１に送られ、貯留される。なお、真空タンク１１内に溜った水は、排水弁１６を開いて排水される。
【００２１】
このように、制御盤２０は、二次側配管４の圧力低下信号のみを受信し、火災感知器６からの火災信号を受信しない場合は、スプリンクラヘッド５の故障と判断して二次側配管４内の消火用水を負圧配管１０に吸引するようにしたので、暴発などによってスプリンクラヘッド５から放水される消火用水をごく少量にとどめることができ、水損を防止することができる。なお、真空ポンプ１３は真空タンク１１を介して負圧配管１０に接続されているため、スプリンクラヘッド５の不時放水時に二次側配管４内の消火用水が負圧配管１０に引き込まれると、その水は真空タンク１１内に貯留されるので、吸引した水によって真空ポンプ１３が損傷することはない。
【００２２】
本実施の形態では、制御盤２０からの信号で主開閉弁３を開放させるようしたが、手動で主開閉弁３を開放するようにしてもよい。また、主開閉弁３を通常のスプリンクラ消火設備に使用する逆止弁に置き換えてもよい。さらに、専用の負圧配管を設けずに排水管３０に真空ポンプを接続し、真空引きするようにしてもよい。なお、二次側配管４又は接続管２３に圧力スイッチを設けることで、二次側配管４内の圧力低下を検知するようにしてもよいがアクセラレータ２６を介して圧力スイッチ２７を設けることで、圧力低下をより早く検知でき、その分水損を減らすことができる。
【００２３】
【発明の効果】
本発明は、湿式のスプリンクラ消火設備において、吸引ポンプによって真空引きされた負圧配管と、この負圧配管とスプリンクラヘッドが接続された二次側配管を接続する常時は閉じられた開閉弁とを備えたので、スプリンクラヘッドが暴発等により不時放水したときは、開閉弁を開放して二次側配管内の水を負圧配管に吸引することにより、スプリンクラヘッドから流出する水による水損を大幅に低減することができる。また、アクセラレータを設けたので、二次側配管の圧力低下を素早く検知することができる。
【図面の簡単な説明】
【図１】本発明の一実施の形態に係るスプリンクラ消火設備の配管系統図である。
【符号の説明】
１  主配管、３  主開閉弁、４  二次側配管、５  スプリンクラヘッド、６  火災感知器、７  送水ポンプ、１０  負圧配管、１１  真空タンク、１３  真空ポンプ、２０  制御盤、２１  火災受信機、２２  ポンプ制御盤、２５  開閉弁、２６  アクセラレータ、２７  圧力スイッチ、３０  排水管。
【図１】
2004201746.tif 000003